(57)【要約】【課題】構造の簡素化を図りつつ、掃き心地を変更するのに適した清掃具を提供すること。【解決手段】本発明の清掃具Ａ１は、第１方向に延びる支持部３２を有するヘッド本体３と、各々が支持部３２に支持され、かつ上記第１方向と交差する方向ｚに延びており、上記第１方向に並ぶ複数の掃払体４２と、を備え、ヘッド本体３は、上記第１方向および上記第１方向と交差する方向ｚのいずれにも直角である方向ｙにおいて複数の掃払体４２を挟んで一方側および他方側に位置し、複数の掃払体４２が延びる方向の先端においてそれぞれが上記第１方向に沿って延びる第１先端縁３３１および第２先端縁３２２を有し、第１先端縁３３１は、第２先端縁３２２よりも支持部３２から離れた位置にあり、かつ、方向ｙ視において複数の掃払体４２と重なっている。【選択図】図３
2018086042.tif 000002
【特許請求の範囲】
【請求項１】
第１方向に延びる支持部を有するヘッド本体と、
各々が上記支持部に支持され、かつ上記第１方向と交差する方向に延びており、上記第１方向に並ぶ複数の掃払体と、を備え、
上記ヘッド本体は、上記第１方向および上記第１方向と交差する方向のいずれにも直角である第２方向において上記複数の掃払体を挟んで一方側および他方側に位置し、上記複数の掃払体が延びる方向の先端においてそれぞれが上記第１方向に沿って延びる第１先端縁および第２先端縁を有し、
上記第１先端縁は、上記第２先端縁よりも上記支持部から離れた位置にあり、かつ、上記第２方向視において上記複数の掃払体と重なっている、清掃具。
【請求項２】
上記複数の掃払体は、軟質樹脂からなる、請求項１に記載の清掃具。
【請求項３】
上記第１方向に延びており、上記支持部に取り付けられる取付け部と、上記取付け部の長手方向に沿って設けられた上記複数の掃払体と、を有する掃払ユニットを備える、請求項２に記載の清掃具。
【請求項４】
上記取付け部は、所定厚さを有する板状であり、
上記掃払ユニットは、上記第２方向において上記取付け部が重なり合うように複数設けられている、請求項３に記載の清掃具。
【請求項５】
上記複数の掃払体は、各々が合成樹脂繊維、植物系素材、または動物系素材の少なくともいずれかを含んで構成された多数の掃毛である、請求項１に記載の清掃具。
【請求項６】
上記ヘッド本体は、上記支持部から上記第１方向および上記第２方向のいずれにも直角である第３方向に一連に延びる板状の延出片を有し、
上記第１先端縁は、上記延出片の上記第３方向における先端に位置する、請求項１ないし５のいずれかに記載の清掃具。
【発明の詳細な説明】
【技術分野】
【０００１】
本発明は、たとえば床面などの掃き掃除に使用される清掃具に関する。
【背景技術】
【０００２】
従来、床面などの掃き掃除用の清掃具として主に箒が用いられてきた。箒は、一般に、ヘッド本体に掃毛などの多数の掃払体が支持された構成とされており、掃払体により床面を掃き払うことで、床面上のゴミを集めることができる。このような構成の箒においては、掃き集めるゴミの種類によって掃毛に求められる柔軟性が異なる。
【０００３】
特許文献１には、ヘッド本体に設けられる多数の掃毛について、その硬さが互いに異なる複数の区分に分けられた構成を有する清掃具が開示されている。同文献に記載された清掃具は、ヘッド本体の厚さ方向において２つの区分を設け、これら区分における掃毛の硬さおよび長さが異ならせられている。このような構成によれば、掃き払うゴミの種類に応じて２つの区分を使い分けて使用することができる。たとえば細かな塵埃を掃く場合には相対的に軟質な掃毛を用いればよく、また、比重の大きな砂利や塵屑等を掃く場合には相対的に硬質な掃毛を用いればよい。
【０００４】
しかしながら、長さや硬さが異なる複数種の掃毛を用いた構成は、清掃具の構造が複雑になりがちであった。また、掃毛の長さの違いに応じて傾きを変える必要があるので、使い勝手の面で改善の余地があった。
【先行技術文献】
【特許文献】
【０００５】
【特許文献１】特開２００８−２４８号公報
【発明の概要】
【発明が解決しようとする課題】
【０００６】
本発明は、このような事情のもとで考え出されたものであって、構造の簡素化を図りつつ、掃き心地を変更するのに適した清掃具を提供することを主たる課題とする。
【課題を解決するための手段】
【０００７】
上記の課題を解決するため、本発明では、次の技術的手段を講じている。
【０００８】
本発明によって提供される清掃具は、第１方向に延びる支持部を有するヘッド本体と、各々が上記支持部に支持され、かつ上記第１方向と交差する方向に延びており、上記第１方向に並ぶ複数の掃払体と、を備え、上記ヘッド本体は、上記第１方向および上記第１方向と交差する方向のいずれにも直角である第２方向において上記複数の掃払体を挟んで一方側および他方側に位置し、上記複数の掃払体が延びる方向の先端においてそれぞれが上記第１方向に沿って延びる第１先端縁および第２先端縁を有し、上記第１先端縁は、上記第２先端縁よりも上記支持部から離れた位置にあり、かつ、上記第２方向視において上記複数の掃払体と重なっている。
【０００９】
好ましい実施の形態においては、上記複数の掃払体は、軟質樹脂からなる。
【００１０】
好ましい実施の形態においては、上記第１方向に延びており、上記支持部に取り付けられる取付け部と、上記取付け部の長手方向に沿って設けられた上記複数の掃払体と、を有する掃払ユニットを備える。
【００１１】
好ましい実施の形態においては、上記取付け部は、所定厚さを有する板状であり、上記掃払ユニットは、上記第２方向において上記取付け部が重なり合うように複数設けられている。
【００１２】
好ましい実施の形態においては、上記複数の掃払体は、各々が合成樹脂繊維、植物系素材、または動物系素材の少なくともいずれかを含んで構成された多数の掃毛である。
【００１３】
好ましい実施の形態においては、上記ヘッド本体は、上記支持部から上記第１方向および上記第２方向のいずれにも直角である第３方向に一連に延びる板状の延出片を有し、上記第１先端縁は、上記延出片の上記第３方向における先端に位置する。
【００１４】
本発明のその他の特徴および利点は、添付図面を参照して以下に行う詳細な説明によって、より明らかとなろう。
【図面の簡単な説明】
【００１５】
【図１】本発明に係る清掃具の一例を示す正面図である。
【図２】図１に示す清掃具の底面図である。
【図３】図１に示す清掃具の右側面図である。
【図４】図１に示す清掃具の背面図である。
【図５】図１のＶ−Ｖ線に沿う断面図である。
【図６】図１に示す清掃具の使用状態の一例を示す側面図である。
【図７】図１に示す清掃具の使用状態の他の例を示す側面図である。
【図８】本発明に係る清掃具の他の例を示す正面図である。
【図９】図８に示す清掃具の背面図である。
【図１０】図８のＸ−Ｘ線に沿う断面図である。
【図１１】図８に示す清掃具の使用状態の一例を示す側面図である。
【図１２】図８に示す清掃具の使用状態の他の例を示す側面図である。
【発明を実施するための形態】
【００１６】
以下、本発明の好ましい実施の形態について、図面を参照して具体的に説明する。
【００１７】
図１〜図５は、本発明に係る清掃具の一例を示す。本実施形態の清掃具Ａ１は、柄１と、柄１の端部に連結部材２を介して連結されたヘッド本体３と、ヘッド本体３に設けられた掃払ユニット４と、を備えている。柄１は、たとえば、合成樹脂製、木製、あるいは軽量な金属製であり、中実または中空の棒状である。なお、本実施形態においては、図５に示すように、柄１が中空パイプ状である態様で表している。
【００１８】
連結部材２は、たとえば合成樹脂製であり、図１、図５に表れているように、先端が開口した筒状部２１と、この筒状部２１に二股状に繋がって形成される一対の連結片２２とを有している。図５によく表れているように、一対の連結片２２は、厚さ方向に貫通する連結孔２２ａを有する。筒状部２１には、柄１の下端が嵌合しており、これにより連結部材２と柄１との連結が図られている。
【００１９】
ヘッド本体３は、連結部３１、支持部３２、および延出片３３を備えている。支持部３２は、掃払ユニット４を支持する部分であり、方向ｘ（第１方向）に延びている。支持部３２は、各々が方向ｘに延び、かつ厚さ方向（方向ｙ）に離間する一対の縦壁３２１を有する。各縦壁３２１の適所には、厚さ方向に貫通する複数の貫通孔３２１ａが形成されている。一対の縦壁３２１の間には、後述する掃払ユニット４の取付け部４１が介在している。
【００２０】
図５に示すように、連結部３１は、支持部３２の長手方向中央の上部につながっている。連結部３１は、方向ｙにおいて一定の厚さであるとともに厚さ方向に貫通する連結孔３１ａを有する。この連結部３１を挟むように上記連結部材２の一対の連結片２２を重ね、各連結孔２２ａ，３１ａにネジ軸などの連結軸５を通挿するなどして、ヘッド本体３と柄１とが、連結部材２を介してヘッド本体３の厚さ方向（方向ｙ）に延びる中心軸線Ｏ１を中心として回動可能に連結される。ここで、柄１とヘッド本体３との回動動作については、たとえば連結部３１と一対の連結片２２との接触摩擦により適度な節度感が与えられる。
【００２１】
図３、図４に示すように、延出片３３は、支持部３２の一方の縦壁３２１から方向ｚ（方向ｘおよび方向ｙのいずれにも直角である第３方向）に一連に延びている。本実施形態において、延出片３３は、支持部３２の長手方向（方向ｘ）における大半の長さ範囲にわたって設けられている。
【００２２】
延出片３３の方向ｚにおける先端縁３３１（第１先端縁）は、方向ｘに沿って延びている。掃払ユニット４（取付け部４１）を挟んで延出片３３とは反対側にある他方の縦壁３２１の方向ｚにおける先端縁３２２（第２先端縁）は、方向ｘに沿って延びている。先端縁３３１は、先端縁３２２よりも支持部３２から離れた位置にあり、方向ｙ視において後述する複数の掃払体４２と重なっている。
【００２３】
上記構成のヘッド本体３は、たとえばポリプロピレン、ＡＢＳ樹脂などの所定の強度を有する合成樹脂からなり、インジェクション成形により一体形成される。
【００２４】
掃払ユニット４は、図２、図５等に示すように、取付け部４１と、複数の掃払体４２とを備える。本実施形態において、清掃具Ａ１は３つの掃払ユニット４を備えており、各掃払ユニット４が取付け部４１および複数の掃払体４２を備えている。
【００２５】
取付け部４１は、所定の厚さを有する板状であり、ヘッド本体３（支持部３２）の長手方向に沿って延びている。複数の掃払ユニット４におけるそれぞれの取付け部４１は、互いに厚さ方向に重なり合っており、ヘッド本体３の支持部３２（一対の縦壁３２１間）に挟まれている。また、取付け部４１の適所には、それぞれ、厚さ方向に貫通する複数ずつの取付け孔４１ａが設けられている。取付け孔４１ａは、縦壁３２１の貫通孔３２１ａと対応する位置に設けられている。図５に示すように、貫通孔３２１ａおよび取付け孔４１ａには、ピン３４およびピン３５が厚さ方向（方向ｙ）における両側から嵌挿され、互いに連結される。これにより、取付け部４１（掃払ユニット４）は、縦壁３２１（支持部３２）に支持されており、取付け部４１（掃払ユニット４）がヘッド本体３から抜け落ちることは防止される。
【００２６】
各掃払ユニット４において、複数の掃払体４２は、長手方向（方向ｘ）に並んでいる。各掃払体４２は、取付け部４１の下面につながっており、方向ｘと交差する方向の一例である方向ｚに延びている。本実施形態において、方向ｘに並ぶ複数の掃払体４２は、第１掃払体４２１および第２掃払体４２２を含む。
【００２７】
図２に示すように、各掃払体４２（４２１，４２２）の先端部は、当該掃払体４２が延びる方向に見て方向ｘと直交する方向ｙに凹んでいる。第１掃払体４２１は、先端部が方向ｙ一方側（図中上側）に凹んでいる。第２掃払体４２２は、先端部が方向ｙ他方側（図中下側）に凹んでいる。本実施形態においては、第１掃払体お４２１および第２掃払体４２２は、いずれも概略Ｗ字形状を呈しており、各々、２箇所凹んでいる。そして、これら第１掃払体４２１および第２掃払体４２２は、方向ｘにおいて交互に並んでいる。
【００２８】
本実施形態において、各掃払ユニット４に含まれる複数の掃払体４２（４２１，４２２）は、方向ｘ（第１方向）において所定間隔を隔てて配列されている。また、方向ｙ（第２方向）において隣接する一対の掃払ユニット４においては、方向ｙ視において、一の掃払ユニット４のうち方向ｘに隣接する一対ずつの掃払体４２の隙間のすべてが他の掃払ユニット４のいずれかの掃払体４２と重なっている。さらに、本実施形態において好ましくは、各掃払ユニット４に含まれる複数の掃払体４２（４２１，４２２）は、方向ｘ（第１方向）において一定ピッチで一定間隔を隔てて配列されている。また、方向ｙ（第２方向）において隣接する一対の掃払ユニット４においては、複数の掃払体４２の配列ピッチが半ピッチずれている。
【００２９】
図１、図５に示すように、本実施形態において、複数の掃払体４２（第１掃払体４２１および第２掃払体４２２）の各々の基端から先端までの長さは一定とされており、各掃払体４２の先端は平坦面とされている。そして、複数の掃払体４２の各々の先端は、方向ｙ視においてヘッド本体３の長手方向（方向ｘ）に延びる所定の直線に沿っている。
【００３０】
取付け部４１および複数の掃払体４２を含んで構成された各掃払ユニット４は、たとえば軟質樹脂によってインジェクション成形により一体形成されている。そのような軟質樹脂材料としては、たとえばシリコーンゴムやウレタンゴムなどの合成ゴムを含むゴム、軟質ポリ塩化ビニル、熱可塑性エラストマー（ＴＰＥ）などを挙げることができる。
【００３１】
次に、本実施形態の作用について説明する。
【００３２】
清掃具Ａ１を用いてカーペット等を清掃する場合には、たとえば図６に示すように、複数の掃払体４２（第１掃払体４２１および第２掃払体４２２）の先端をカーペットＣａに押し付けつつ、ヘッド本体３を図６における矢印の方向（方向ｙにおける片側）に動かす。ここで、各掃払体４２の先端部は、当該掃払体４２が延びる方向（方向ｚ）に見て方向ｘと直交する方向ｙに凹んだ凹形状である。これにより、当該凹みの両端が方向ｙにおいて凸形状となっている。清掃時には、掃払体４２のうち凹み両端の凸形状部分が進行方向に向いているもの（図６における第２掃払体４２２）については、当該凸形状部分によりカーペットＣａの起毛部に絡んだ毛髪や細かな塵埃等のゴミＴｒ１を掻き出して集めることが可能である。
【００３３】
また、複数の掃払体４２は、支持部３２の長手方向（方向ｘ）において並んでおり、互いに分離した状態で支持部３２に支持されている。そして、各掃払体４２は、支持部３２の長手方向（方向ｘ）と交差する方向ｚに延びている。このような構成によれば、各掃払体４２の弾性復元力は比較的小さい。これにより、カーペットＣａの表面に載っている小石や塵屑等の比較的大きなゴミＴｒ２については掃払体４２により掃き集めることができ、掃払体４２の形状復元時にゴミＴｒ２が弾き飛ばされることは回避される。
【００３４】
ヘッド本体３は、方向ｙにおいて複数の掃払体４２を挟んで一方側および他方側に位置する先端縁３３１および先端縁３２２を有する。これら先端縁３３１および先端縁３２２は、複数の掃払体４２が延びる方向の先端においてそれぞれが方向ｘに沿って延びている。また、先端縁３３１は、先端縁３２２よりも支持部３２から離れた位置にあり、方向ｙ視において複数の掃払体４２と重なっている。本実施形態において、ヘッド本体３は、支持部３２から方向ｚ（第３方向）に一連に延びる板状の延出片３３を有する。先端縁３３１は、延出片３３の方向ｚにおける先端に位置する。
【００３５】
このような構成によれば、掃払体４２をカーペットＣａに比較的強く押さえ付けながら掃くと、図６に示すように、進行方向に対して後方側に位置する延出片３３が掃払体４２の弾性変形を規制するバックアップとして機能する。したがって、図６に示す使用態様は、カーペットＣａをより強く擦りたい場合の清掃に適する。
【００３６】
一方、図７は、ヘッド本体３を厚さ方向（方向ｙ）において図６とは反対側に動かす場合を示している。図７に示す場合には、掃払体４２をカーペットＣａに強く押さえ付けるとそれに応じて掃払体４２は弾性変形する。したがって、図７に示す使用態様は、掃払体４２をしなやかに変形させつつカーペットＣａを清掃するのに適する。図６および図７を比較すると理解されるように、延出片３３を具備するといった簡単な構造によって、ヘッド本体３を動かす方向を変えることで清掃時の掃き心地を変更することができる。
【００３７】
本実施形態の清掃具Ａ１は、掃払ユニット４を備えている。掃払ユニット４は、支持部３２に取り付けられており、方向ｘ１に延びる取付け部４１と、取付け部４１の長手方向に沿って設けられた複数の掃払体４２と、を備えている。このような構成によれば、取付け部４１を支持部３２に支持させるといった簡易な手段により、複数の掃払体４２を支持部３２（ヘッド本体３）の長手方向に並べることができる。
【００３８】
また、清掃具Ａ１は複数の掃払ユニット４を備え、これら掃払ユニット４それぞれにおける板状の取付け部４１が方向ｙにおいて重なり合わされている。このような構成によれば、支持部３２の厚さ方向（方向ｙ）において掃払体４２が複数配列されており、清掃時にはゴミＴｒ１，Ｔｒ２を適切に掃き集めることができる。
【００３９】
図８〜図１０は、本発明に係る清掃具の他の例を示している。これらの図においては、上記実施形態と同一または類似の要素には、同一の符号を付しており、適宜説明を省略する。
【００４０】
図８〜図１０に示す清掃具Ａ２は、柄１と、連結部材２と、ヘッド本体３と、多数の掃払体４３と、を備えている。本実施形態においては、上記実施形態における掃払ユニット４に代えて多数の掃払体４３を備えており、これに伴いヘッド本体３の構成が異なっている。
【００４１】
ヘッド本体３は、連結部３１、支持部３２、および延出片３３を備えている。本実施形態においては、ヘッド本体３における支持部３２の構成が上記実施形態と異なっている。本実施形態において、支持部３２は、多数の掃払体４３を支持する部分である。支持部３２は、方向ｘ（第１方向）に延びており、中実状である。
【００４２】
図９、図１０に示すように、延出片３３は、支持部３２のうち方向ｙにおいて多数の掃払体４３に隣接する部分の下端から方向ｚに一連に延びている。延出片３３は、支持部３２の長手方向（方向ｘ）における大半の長さ範囲にわたって設けられている。
【００４３】
延出片３３の方向ｚにおける先端縁３３１（第１先端縁）は、方向ｘに沿って延びている。支持部３２のうち、方向ｙにおいて多数の掃払体４３を挟んで延出片３３とは反対側にある部分の方向ｚにおける先端縁３２２（第２先端縁）は、方向ｘに沿って延びている。先端縁３３１は、先端縁３２２よりも支持部３２から離れた位置にあり、方向ｙ視において後述する多数の掃払体４３と重なっている。
【００４４】
多数の掃払体４３は、いわゆる掃毛により構成されており、支持部３２の下部に植設されている。支持部３２の下面には複数の植毛孔が２列に形成されており、掃払体４３は、所定本ずつ束ねた状態でその基端部を各植毛孔に挿入して樹脂接着剤等で固定することにより、支持部３２に植設される。掃払体４３は、たとえばポリエチレンテレフタレートなどの合成樹脂製の繊維からなる。なお、掃払体４３を構成する材料としては、上記の他、ポリエステルなどの合成樹脂繊維、パーム、シダ、天然草、ヤシの葉脈などの植物系素材、および馬毛などの動物系素材を挙げることができ、これらの単独または複数種混ざったものが用いられる。
【００４５】
本実施形態の清掃具Ａ２は、掃毛としての多数の掃払体４３を具備しており、清掃対象としては比較的硬質な床面が適している。清掃具Ａ２を用いて床面等を清掃する場合には、たとえば図１１に示すように、多数の掃払体４３の先端を床面Ｆに押し付けつつ、ヘッド本体３を図１１における矢印の方向（方向ｙにおける片側）に動かす。
【００４６】
本実施形態によれば、掃払体４３を床面Ｆに比較的強く押さえ付けながら掃くと、図１１に示すように、進行方向に対して後方側に位置する延出片３３が掃払体４３の弾性変形を規制するバックアップとして機能する。したがって、図１１に示す使用態様は、床面Ｆをより強く掃き払いたい場合の清掃に適する。
【００４７】
一方、図１２は、ヘッド本体３を厚さ方向（方向ｙ）において図１１とは反対側に動かす場合を示している。図１２に示す場合には、掃払体４３を床面Ｆに強く押さえ付けるとそれに応じて掃払体４３は弾性変形する。したがって、図１２に示す使用態様は、掃払体４３をしなやかに変形させつつ床面Ｆを清掃するのに適する。図１１および図１２を比較すると理解されるように、延出片３３を具備するといった簡単な構造によって、ヘッド本体３を動かす方向を変えることで清掃時の掃き心地を変更することができる。
【００４８】
以上、本発明の具体的な実施形態を説明したが、本発明はこれに限定されるものではなく、発明の思想から逸脱しない範囲内で種々な変更が可能である。本発明に係る清掃具の各部の具体的な構成は、種々に設計変更自在である。
【符号の説明】
【００４９】
Ａ１，Ａ２    清掃具
Ｏ１        中心軸線
ｘ          方向（第１方向）
ｙ          方向（掃払体が延びる方向に見て第１方向と直交する方向、第２方向）
ｚ          方向（第１方向と交差する方向、第３方向）
１          柄
２          連結部材
２１        筒状部
２２        連結片
２２ａ      連結孔
３          ヘッド本体
３１        連結部
３１ａ      連結孔
３２        支持部
３２１      縦壁
３２１ａ    貫通孔
３２２      先端縁（第２先端縁）
３３        延出片
３３１      先端縁（第１先端縁）
３４，３５    ピン
４          掃払ユニット
４１        取付け部
４１ａ      取付け孔
４２        掃払体
４２１      第１掃払体
４２２      第２掃払体
４３        掃払体
５          連結軸
【図１】
2018086042.tif 000003
【図２】
2018086042.tif 000004
【図３】
2018086042.tif 000005
【図４】
2018086042.tif 000006
【図５】
2018086042.tif 000007
【図６】
2018086042.tif 000008
【図７】
2018086042.tif 000009
【図８】
2018086042.tif 000010
【図９】
2018086042.tif 000011
【図１０】
2018086042.tif 000012
【図１１】
2018086042.tif 000013
【図１２】
2018086042.tif 000014